(57)【要約】【課題】タンクへの給水を円滑に行い、給水口から水が溢れ出ても機体内への漏水を防止する。【解決手段】衣類を収容する回転ドラム１０と、回転ドラム１０内に蒸気を供給するスチームユニット１とを有する衣類乾燥機において、スチームユニット１に供給される水を貯水するタンク３と、タンク３に水を供給する給水口２３とを備え、給水口２３は衣類乾燥機本体の外部に開口するとともに、給水口２３にはタンク３内の空気を排気する排気口２７を設けたことにより、簡単な構造でタンクへの給水を円滑に行い、給水口から水が溢れ出ても、機体外に排出されるので機体内への漏水を防止できる。【選択図】図２
2014147552.tif 000002
【特許請求の範囲】
【請求項１】
衣類を収容する回転ドラムと、前記回転ドラム内に蒸気を供給するスチームユニットとを有する衣類乾燥機において、前記スチームユニットに供給される水を貯水するタンクと、前記タンクに水を供給する給水口とを備え、前記給水口は衣類乾燥機本体の外部に開口するとともに、前記給水口には前記タンク内の空気を排気する排気口を設けたことを特徴とする衣類乾燥機。
【請求項２】
前記排気口は、前記給水口内で筒状に突出した突出部を有することを特徴とする請求項１に記載の衣類乾燥機。
【請求項３】
前記排気口を覆う覆い部を乾燥機本体に設けたことを特徴とする請求項１または２に記載の衣類乾燥機。
【請求項４】
前記給水口には着脱可能なフィルターを設け、前記フィルターに前記排気口を設けたことを特徴とする請求項１〜３のいずれか１項に記載の衣類乾燥機。
【発明の詳細な説明】
【技術分野】
【０００１】
本発明は、衣類を乾燥するための衣類乾燥機に関するものである。
【背景技術】
【０００２】
従来、この種の衣類乾燥機には、衣類のシワを低減する効果などを得るために、蒸気を衣類に供給するスチームユニットを備えたものが考案されている。（例えば、特許文献１参照）。
【０００３】
図６は、特許文献１に記載された従来の衣類乾燥機を示すものである。図６に示すように、衣類乾燥機の本体９には、蒸気を供給するスチームユニット１と、スチームユニット１内で蒸気発生のために使用する水を貯めるタンク３と、タンク３に水を供給する給水口２３が設置され、給水口２３からタンク３への給水時にタンク３内の空気を抜くための空気抜き機構３０１をタンク３上部に設けている。
【先行技術文献】
【特許文献】
【０００４】
【特許文献１】欧州特許第２３１７００４号明細書
【発明の概要】
【発明が解決しようとする課題】
【０００５】
しかしながら、前記従来の構成では、タンク上部に空気抜き機構を構成するために構造が複雑化し、また、故障等により、タンクに設けた空気抜き機構から水が溢れ出て機体内に漏水するという課題を有していた。
【０００６】
本発明は、前記従来の課題を解決するもので、空気抜け機構を簡素化するとともに、故障等により、空気抜き機構から水が溢れ出ても機体内に漏水しない衣類乾燥機を提供することを目的とする。
【課題を解決するための手段】
【０００７】
前記従来の課題を解決するために、本発明は、衣類を収容する回転ドラムと、前記回転ドラム内に蒸気を供給するスチームユニットとを有する衣類乾燥機において、前記スチームユニットに供給される水を貯水するタンクと、前記タンクに水を供給する給水口とを備え、前記給水口は衣類乾燥機本体の外部に開口するとともに、前記給水口には前記タンク内の空気を排気する排気口を設けたものである。
【０００８】
これにより、簡単な構造でタンクへの給水を円滑に行うとともに、排気口から水が溢れ出ても、給水口を介して機体外に排出されるので機体内への漏水を防止できる。
【発明の効果】
【０００９】
本発明の衣類乾燥機は、簡単な構造でタンクへの給水を円滑に行うとともに、排気口から水が溢れ出ても、機体外に排出することで機体内への漏水を防止することができる。
【図面の簡単な説明】
【００１０】
【図１】本発明の実施の形態１における衣類乾燥機の縦断面図
【図２】同、衣類乾燥機のタンクと給水口の斜視図
【図３】本発明の実施の形態２における衣類乾燥機の給水口の斜視図
【図４】同、給水口の要部断面図
【図５】同、給水口とフィルターの斜視図
【図６】従来の衣類乾燥機の断面図
【発明を実施するための形態】
【００１１】
第１の発明は、衣類を収容する回転ドラムと、前記回転ドラム内に蒸気を供給するスチームユニットとを有する衣類乾燥機において、前記スチームユニットに供給される水を貯水するタンクと、前記タンクに水を供給する給水口とを備え、前記給水口は衣類乾燥機本体の外部に開口するとともに、前記給水口には前記タンク内の空気を排気する排気口を設けたことにより、外気に通じる給水口に排気口を設けることで構造が簡素化され、タンク内への給水を円滑に行い、排気口から水が溢れ出ても、乾燥機本体の外部に開口する給水口を介して機体外に排出されるので機体内への漏水を防止でき、安全な衣類乾燥機を提供できる。
【００１２】
第２の発明は、特に、第１の発明の排気口は、前記給水口内で筒状に突出した突出部を有することにより、給水口からタンクに給水する際に、給水口内部の水位が上がってきても、給水口から溢水する高さより高い位置に排気口を配置したので、排気口が水没せず、排気口が水で塞がれることがないので、タンク内の空気の排気は阻害されることなく、タンク内への給水が円滑かつ容易に行われる。
【００１３】
第３の発明は、特に、第１または第２の排気口を覆う覆い部を乾燥機本体に設けたことにより、簡単な構造で、排気口内部にゴミなどの異物の侵入を防止でき、また排気口の開口面積を確保できるので、タンク内への異物侵入を防止しながら、タンク内の空気を効率よく排気することができる。
【００１４】
第４の発明は、特に、第１〜３のいずれか１つの発明の給水口には、着脱可能なフィルターを設け、前記フィルターに前記排気口を設けたことにより、給水に伴うタンク内への異物侵入が防止され、フィルターを着脱することでフィルターに付着した異物と排気口の汚れの双方を容易に除去することができるようになり、フィルター及び排気口のメンテナンスが容易となり、長期間にわたってタンク内への給水が円滑かつ容易に行われる。
【００１５】
以下、本発明の実施の形態について、図面を参照しながら説明する。なお、この実施の形態によって本発明が限定されるものではない。
【００１６】
（実施の形態１）
図１は、実施の形態１における衣類乾燥機の縦断面図、図２は、実施の形態１における衣類乾燥機のタンクと給水口の斜視図である。図を用いて説明する。
【００１７】
衣類乾燥機の本体９の内部には衣類を収容する回転ドラム１０を設け、回転ドラム１０の前方には、使用者が衣類乾燥機の本体９の前方から衣類を取り出すための開口１１が形成され、本体９の前方には、開口１１を開閉するためのドア１２を設けている。
【００１８】
回転ドラム１０内部では、湿った衣類の乾燥を行い、乾燥により発生した湿蒸気は、一時的に回転ドラム１０の下方に設置された湿蒸気タンク１３に貯められ、湿蒸気タンク１３内で水分となった水は、回転ドラム１０の上方に設置された除湿水タンク１５へ、湿蒸気ホース１４を通って除湿水タンク１５に供給される。
【００１９】
回転ドラム１０の下方には、回転ドラム１０の内部に蒸気を供給するための蒸気を発生させるスチームユニット１を設けている。
【００２０】
スチームユニット１は、スチームユニット１内部に供給された水を瞬間加熱して１００
℃以上の高温スチームを発生させるためのスチームヒータを有している（図示せず）。また、スチームユニット１内部には、供給された水を蒸発させて気化させるチャンバを設け（図示せず）、チャンバを構成する外郭の温度を関知する温度センサ（図示せず）とを有する。スチームユニット１で発生した蒸気は、スチーム供給管１６を経て、蒸気供給口８から回転ドラム１０内へ供給される。このように、高温スチームを回転ドラム１０内に収容された衣類に供給することで、シワ低減や消臭効果を発揮する。
【００２１】
本体９の下部には、スチームユニット１内で蒸気を発生させるための水を貯水するタンク３を配置し、タンク３に水を供給するための給水口２３を本体９の下部に設け、給水口２３は、本体９の外部に開口し、これによりタンク３の内部は本体９の外部で外気と連通している。図１では、給水口２３は、本体９の前面４１より前方へ突出して設けているが、後述するように本体９の前面４１に凹部４２を設け、この凹部の内部において本体９の外部に開口するように給水口２３を設けても良い。
【００２２】
スチームユニット１はスチームユニット１内部に水を供給するためのスチームポンプ７を備え、スチームユニット１に接続した給水管６を通してスチームユニット１内部に水を供給する。給水管６は、タンク３とホースジョイント２２により接続され、このホースジョイント２２の内部には、タンク３内部に貯水された水を検知するフロートＳＷ４を備える。
【００２３】
給水口２３には、タンク３内へ水を注入する給水開口部２６と、タンク３内へ水を注入する際にタンク３に溜まっている空気を排気し、タンク３内へ円滑に給水を行うようにするための排気口２７を設けている。排気口２７はタンク３内と連通し、タンク３内の水面が上昇することでタンク３内の空気が排気口２７から押し出されて排気される。
【００２４】
使用者は、タンク３内に給水するため、給水口２３に水を注入する。給水口２３に内に給水された水は、給水開口部２６を通ってタンク３内に給水される。タンク３内に給水される水は、タンク３内の空気をタンク３の外部へ押し出しながらタンク３内に貯水される。給水される水によってタンク３の外部へ押し出される空気は、排気口２７から排出される。仮に、排気口２７を設けずに給水口２３から給水を行う場合、給水開口部２６からタンク３内の空気を排出することになり、給水開口部２６で給水と排気の両方を行うのでタンク３内への給水が阻害され、円滑な給水ができない。しかしながら、給水開口部２６とは別に排気口２７を設けたので、タンク３内への給水とタンク３外への排気は分離されて行われ、タンク３内へ給水を円滑に行うことができる。このように、外気に通じる給水口に排気口を設けることで簡単な構造で、給水を円滑に行うことができる。
【００２５】
また、タンク３内への給水を行う際、使用者の不注意等により、給水口２３から水が溢れた場合、給水口２３は本体９の前面４１より前方へ突出して設けているので、水は乾燥機本体の外部に開口する給水口２３から機体外に排出されることになり、機体内への漏水を防止できる。
【００２６】
また、故障等の何らかの要因で、タンク３内の水が排気口２７から溢れた場合でも、同様に給水口２３を介して機外へ排出することで機体内への漏水を防止でき、安全性が向上する。
【００２７】
（実施の形態２）
図３は、実施の形態２における衣類乾燥機の給水口の斜視図、図４は、実施の形態２における給水口の要部断面図、図５は、実施の形態２における給水口とフィルターの斜視図である。本実施の形態における衣類乾燥機全体の基本構成、およびタンク形状については、実施の形態１と同様なので、図１、図２も参照しながら説明するものとする。
【００２８】
図３〜５および図１、図２を用いて以下に説明する。
【００２９】
図３、図５に示すように、給水口２３には、給水開口部２６および排気口２７を有するフィルター３１を設けている。フィルター３１は、フィルター３１に設けた係止部４４を給水口２３の端部４５に係合することで給水口２３に着脱自在に設けられる。
【００３０】
フィルター３１は、タンク３内に水を給水する給水開口部２６にメッシュ部３２を設けており、タンク３内への給水時にメッシュ部３２を水が通過することで、水に含まれる異物がメッシュ部３２に濾しとられ、給水時のタンク３内への異物の混入を防止する。これにより、スチームユニット１内に異物が侵入することを防止でき、チャンバ内に異物が堆積せずヒータ性能が低下するのを防止することができる。
【００３１】
また、フィルター３１に設けた排気口２７は、筒状に突出した突出部４３を有しており、図４に示すように、排気口２７の先端部４６は、給水口２３の端部４５の前端部４８より高い位置に配置している。前端部４８は、給水口２３の端部４５のうち最も低い位置に設けられる。
【００３２】
フィルター３１に設けた排気口２７、および、メッシュ部３２を設けた給水開口部２６は、給水口２３とタンク３とを接続するタンク接続口４７に連通しており、これにより、タンク３へ給水する際、タンク３内への給水とタンク３外への排気は分離されて行われ、タンク３内へ給水を円滑に行うことができる。
【００３３】
図４に示すように、本体９の前面４１には凹部４２を設け、この凹部４２の内部において本体９の外部に開口するように給水口２３は設けられる。給水口２３の内部に設けた排気口２７の上方には、排気口２７を覆うように排気口２７に近接して覆い部３０を本体９に設け、排気口２７の前方の上方にはリブ５０を本体９に設けている。また、給水口２３の前端部４８は、凹部４２の内部における本体９の前面下部４９より前方へ突出して設けており、給水口２３内から水が溢れた場合には、溢れた水は前端部４８から前面下部４９を越えて機体外へ排出される。
【００３４】
給水口２３からタンク３に給水する際に、使用者が給水口２３へ給水する水量が給水開口部２６からタンク３内へ単位時間内に通水可能な水量より多い場合に、給水口２３内部の水位が上がってしまうが、給水開口部２６より高い位置に排気口２７を配置したので、排気口２７が水没せず、排気口２７が水で塞がれることがないので、タンク３内の空気の排気は阻害されず、給水口２３内の水はやがてタンク３内へ円滑に給水されるようになる。
【００３５】
また、タンク３内への給水を行う際、使用者の不注意等により、給水口２３から水が溢れた場合、給水口２３に設けた前端部４８から機体外に排出されることになり、機体内への漏水を防止できる。また、故障等の何らかの要因で、タンク３内の水が排気口２７から溢れた場合でも、同様に給水口２３を介して機外へ排出することで機体内への漏水を防止でき、安全性が向上する。
【００３６】
排気口２７の上方に設けた覆い部３０により、リントなどのゴミが排気口２７内部に侵入しにくくなり、タンク３内への異物混入が防止できる。また、使用者が給水口２３へ給水を行う際、突出部４３を有する排気口２７の上方に近接して設けた覆い部３０およびリブ５０が排気口２７へ誤って給水されるのを阻害するので、使用者が排気口２７に誤って給水することがなく、排気口２７から給水するという誤操作を防止できる。
【００３７】
また、フィルター３１を着脱することでメッシュ部３２に付着した異物と排気口２７の汚れの双方を容易に除去することができるようになり、メッシュ部３２及び排気口２７のメンテナンスが容易となる。従って、長期間にわたってタンク３内への給水が円滑かつ容易に行われる。
【産業上の利用可能性】
【００３８】
以上のように、本発明は、タンクへの給水を円滑に行い、給水口から水が溢れ出ても機体内への漏水を防止するので、給水が必要なタンクを有する機器等の用途にも適用できる。
【符号の説明】
【００３９】
１  スチームユニット
３  タンク
１０  回転ドラム
２３  給水口
２７  排気口
３０  覆い部
３１  フィルター
４３  突出部
【図１】
2014147552.tif 000003
【図２】
2014147552.tif 000004
【図３】
2014147552.tif 000005
【図４】
2014147552.tif 000006
【図５】
2014147552.tif 000007
【図６】
2014147552.tif 000008